(57)【要約】【課題】  机の天板上の作業可能な面積を拡大させることができ、かつ、容易に作業可能面積を拡大させることができる書棚付き机を提供することを目的とする。【解決手段】  書棚１の棚板本体２が、机本体３の天板４よりも所定高さＨだけ上方の第１使用状態と、机本体３の天板４を手前へ置き換えて棚板本体２を下降させ天板４と同一面状とした第２使用状態とに、切換自在とした。さらに、書棚１が、前後位置を保ったままで昇降して第１使用状態と第２使用状態とに、切換して固着具にて机本体３にて固着されている。【選択図】  図１
2005342377.tif 000002
【特許請求の範囲】
【請求項１】
書棚（１）の棚板本体（２）が、机本体（３）の天板（４）よりも所定高さ（Ｈ）だけ上方の第１使用状態と、上記机本体（３）の上記天板（４）を手前へ置き換えて該棚板本体（２）を下降させ該天板（４）と同一面状とした第２使用状態とに、切換自在としたことを特徴とする書棚付き机。
【請求項２】
書棚（１）が、前後位置を保ったままで昇降して上記第１使用状態と第２使用状態とに、切換して固着具にて机本体（３）にて固着されている請求項１記載の書棚付き机。
【請求項３】
机本体（３）の左右支持脚（９)(９）の下端縁の水平状床接触部材（５）が前後に２分割され、前半部（６）が前方へ突出状に移動して固着具にて固着されている請求項１又は２記載の書棚付き机。
【請求項４】
上記第１使用状態と第２使用状態との切換え時に、引出し（８）が天板（４）と共に前後方向に置き換えるように付設されている請求項１，２又は３記載の書棚付き机。
【発明の詳細な説明】
【技術分野】
【０００１】
本発明は、書棚付き机に関する。
【背景技術】
【０００２】
従来、机本体の天板の上方に本や照明スタンド等を載置する書棚を備えた書棚付き机があった。この書棚は収納スペースを確保し、机上で作業し易い環境を提供していたが、机本体の天板と書棚の棚板との間のスペースは狭く、パソコン等を使用する場合はパソコン用のディスプレイを天板上に載置することが困難であったり、ディスプレイを載置できたとしても上記天板と棚板との間にデッドスペースが生じ、天板全体を広く使用することができない問題があった。
この問題を解決するために、従来の書棚付き机は、天板の作業可能な面積を拡張するために補助天板を有し、パソコン用のディスプレイ等を置く際には、天板を前方に位置変更させ、その後方に補助天板を取付け、補助天板上に書棚を設置していた。さらに、補助天板の不使用時は、机の後面に保持させていた（例えば、特許文献１参照）。
【特許文献１】特許第３４４８８４２号
【発明の開示】
【発明が解決しようとする課題】
【０００３】
しかし、一般的に、机本体はその後面を室内の壁に近づけて配置されており、従来の書棚付き机では、補助天板が机本体の後面に保持されているため、補助天板の使用時と不使用時の付け換え作業を行う際は、机本体を壁から離さなければならず、時間がかかり面倒であった。さらに、その付け換え作業の困難さ故に、補助天板を他の場所へ保管したりすると紛失することも予測される。
【０００４】
そこで、本発明は、机の天板上の作業可能な面積を拡大させることができ、かつ、容易に作業可能面積を拡大させることができる書棚付き机を提供することを目的とする。
【課題を解決するための手段】
【０００５】
上記目的を達成するために、本発明に係る書棚付き机は、書棚の棚板本体が、机本体の天板よりも所定高さだけ上方の第１使用状態と、上記机本体の上記天板を手前へ置き換えて該棚板本体を下降させ該天板と同一面状とした第２使用状態とに、切換自在とした。
【０００６】
また、書棚が、前後位置を保ったままで昇降して上記第１使用状態と第２使用状態とに、切換して固着具にて机本体に固着されている。
【０００７】
また、机本体の左右支持脚の下端縁の水平状床接触部材が前後に２分割され、前半部が前方へ突出状に移動して固着具にて固着されている。
【０００８】
また、上記第１使用状態と第２使用状態との切換え時に、引出しが天板と共に前後方向に置き換えるように付設されているものである。
【発明の効果】
【０００９】
本発明は、次のような著大な効果を奏する。
本発明に係る書棚付き机によれば、机本体の天板上の作業可能な面積を拡大させることができる。さらに、机本体の位置を移動させずに天板上の作業可能な面積を容易に拡大させることができる。
【発明を実施するための最良の形態】
【００１０】
以下、実施の形態に示す図面に基づき本発明を詳説する。
まず、図１に於て、３は机本体であり、机本体３は水平状の天板４と天板４の左右両端部に支持脚９，９を備え、天板４の上方には書棚１が配置されると共に、書棚１は水平状に配置された棚板本体２を有する。天板４は水平状を保ったまま前後方向かつ上下方向に置き換え可能となっており、さらに、書棚１は上下に移動してその位置を固定するように机本体３に取り付けられている。図１〜図３及び図５・図７は、書棚１の棚板本体２が机本体３よりも所定高さＨだけ上方にある状態──第１使用状態──を示し、図４・図６及び図８は、机本体３の天板４を手前へ置き換えて棚板本体２を下降させ天板４と同一面状とした状態──第２使用状態──を示す。なお、所定高さＨは調整可能となっている。
【００１１】
机本体３の天板４の左右両端部は、支持脚９，９に取り付けられている。天板４は平面視略矩形であり、天板４の後端縁と左右端縁は直線状に形成され、天板４の前端縁は僅かに手前（前方）に膨出する弧状に成形されている。
天板４の下面には、２個の引出し８，８が左右に互いに隣接して取り付けられている。引出し８，８の前面は、上記の天板４の前端縁の形状に沿って弧状に形成されている。つまり、それぞれの引出し８，８の前面は、天板４の前端縁の中央に向かうにつれて手前（前方）に膨出するように形成されている。さらに、引出し８は、第１使用状態と第２使用状態との切換え時に、天板４と共に前後方向に置き換えるように付設されている。なお、引出し８は、天板４が上下方向に置き換えられる際も、天板４と付随して移動するようになっている。
【００１２】
引出し８，８はガイド機構10を介して天板４に付設され、ガイド機構10は引出し８を手前にかつ水平に引出自在とする通常のものであり、ガイド機構10は、図示省略するレール部材と、そのレール部材が摺動するための凹溝が形成されたガイド部材11と、から成る。レール部材は各引出し８，８の左右端に水平に付設されると共にガイド部材11の凹溝内に嵌め込まれ、ガイド部材11は天板４の下面に固設されている。ガイド部材11は、天板４の下面の左右両端部と中央部の合計３箇所に固設されている。つまり、中央部のガイド部材11は引出し８，８の間に配置され、その左右両側面には左右の引出し８，８のレール部材が摺動するための凹溝が形成されている。また、ガイド部材11をそれぞれの引出し８，８の左右に２個ずつ合計４個設けてもよく、その他の設計変更も自由である。
【００１３】
机本体３の左右の支持脚９，９は、天板４の下面の左右端に固設されているガイド部材11，11に連結されている。支持脚９の下端縁には前後方向に水平状に床接触部材５を有し、床接触部材５上の前方と後方に２本の支柱12，12が鉛直に立設され、さらに、それら支柱12，12は水平状の３本の連結部材13によって連結され、それらの連結部材13ａ，13ｂ，13ｃは、支柱12，12の上端部と中間部と下端部に付設されている。すなわち、支持脚９，９は略日の字型に形成されている。
【００１４】
また、床接触部材５は前後に２分割され、前半部６と後半部７を有し、第１使用状態では、前半部６後端と後半部７の前端は接触した一体状になっており（図３参照）、第２使用状態では、前半部６は前方へ突出状に移動可能となっている（図４参照）。前半部６は、支持脚９の下端面（前方の支柱12の下端面と下端側の連結部材13ｃの下端面）に、固着具にて固着され、上記一体状と突出状とに切換え自在となっている。この固着具は、例えば、前半部６の上面と支持脚９の下端面のどちらか一方に設けられる突部と、上記一体状と突出状に於てその突部が嵌め込まれる他方に形成された凹部と、から成り、それ以外の固着具であってもよい。なお、第１使用状態に於て、前半部６と後半部７は接触しないようになっていてもよい。
【００１５】
棚板本体２上には、４個のブックエンド部材15が立設され、２個のブックエンド部材15は棚板本体２の左右両端に取付けられ、残りの２個のブックエンド部材15は正面視して棚板本体２の左側に取り付けられている。各ブックエンド部材15は、平行にかつ一定間隔を空けて並設されているが、その間隔を調節できるようにしたり、ブックエンド部材15を棚板本体２から着脱自在としたりして、設置するブックエンド部材15の個数を増減させる等、使い方に応じて適宜設計変更は自由である。
【００１６】
棚板本体２は鉛直状の背板部材14に付設され、背板部材14の左右両端縁は、背板部材14が上下方向に置き換え自在となるように、支持脚９，９に取り付けられている。背板部材14は、その左右両端部に上下方向に延びる縦板材16，16を有し、かつ、その縦板材16，16を連結する４個の横板材17を備えている。横板材17の左右両端が縦板材16，16に付設され、横板材17はそれぞれ水平状にかつ一定間隔を空けて配置されている。最上位置と最下位置の２個の横板材17は、縦板材16，16の上下両端部に付設されている。
【００１７】
図５と図６に於て、ガイド部材11，11の外側の側面には前方から後方へ順に前方取付孔18、中間取付孔19、後方取付孔20が水平に形成されている。そして、支持脚９，９の側面には、鉛直に並んだ貫通孔から成る孔群が４列形成され、支持脚９，９の前方の支柱12には第１孔群21が形成され、上端側の連結部材13ａには第２孔群22が形成され、後方の支柱12には前方から順に第３孔群23と第４孔群24が形成されている。さらに、前方取付孔18と後方取付孔20との距離は、第１孔群21と第３孔群23との距離と同一に設定され、中間取付孔19と後方取付孔20との距離は、第１孔群21と第２孔群22との距離と同一に設定されている。なお、第１孔群21と第２孔群22と第３孔群23のそれぞれの貫通孔は、上記天板４が水平状を保ったまま前後方向にかつ上下方向に置き換え自在となるように、配置されている。
【００１８】
図５で示す第１使用状態に於て、ガイド部材11と支持脚９は、前方取付孔18とそれに対応する第１孔群21の貫通孔とに挿嵌されるボルトと、後方取付孔20とそれに対応する第３孔群23の貫通孔とに挿嵌されるボルトにて連結されている。
また、図６で示す第２使用状態に於て、ガイド部材11と支持脚９は、中間取付孔19とそれに対応する第１孔群21の貫通孔とに挿嵌されるボルトと、後方取付孔20とそれに対応する第２孔群22の貫通孔とに挿嵌されるボルトにて連結されている。
【００１９】
また、背板部材14の縦板材16，16のそれぞれの外側の側面には、２個以上のボルト孔を鉛直に並べて形成されており（図示省略）、背板部材14は、そのボルト孔とそれに対応する第４孔群24とにボルトを挿嵌することによって、後方の支柱12に取り付けられている。また、書棚１の高さ調節するための他の手段として、背板部材14の縦板材16，16のそれぞれの外側の側面に、１個のボルト孔を形成し、縦板材16，16と後方の支柱12の当接面のどちらか一方に鉛直方向に延びるスライド溝を形成し、他方にそのスライド溝内を摺動する突起部を設けてもよい。
【００２０】
図６に示す第２使用状態で、天板４の後端面と書棚１の棚板本体２の前端面は当接しており、天板４の後端面は鉛直平面にて形成されているが、棚板本体２の前端面は安全に使用するため面取りされ、側面視にて弧状に形成されている。そのため、天板４の後端面と棚板本体２の前端面の上記当接面に沿って溝が生じることになるが、この溝を生じないようにするために、棚板本体２の前端面を鉛直平面に形成してもよい。
【００２１】
左右の支持脚９，９は、帯板状の補強桟25によって連結され、その補強桟25の左右両端は、下端側の連結部材13ｃの後端部に取付けられている。また、正面視して机本体３の左側の下方部に物置棚26を水平状に備え、物置棚26の後端縁には、ストッパ板材27が物置棚26と垂直に固設されている。物置棚26は、補強桟25上と下端側の連結部材13ｃ上とにボルト等で取り付けられ、補強材としての役割も果たしている。さらに、物置棚26は平面視略矩形であり、その左後方の角部には切欠部28が形成されると共に、切欠部28には支持脚９の後方の支柱12が嵌合している。物置棚26を左右反転するように表裏逆にすれば、物置棚26は、机本体３の右側の下方部にも上記左側の下方部に設置した場合と対称になるように取付け可能となっている。また、物置棚26を机本体３の左側又は右側に付け換え可能とするために、物置棚26の左右の後方の角部に切欠部28を２個形成してもよいが、見た目の良さや作成の容易さを考慮すれば、上記のように切欠部28は１個の方が好ましい。
【００２２】
上述した本発明である書棚付き机の使用方法（作用）について説明する。
まず、本発明の書棚付き机は図３に示す第１使用状態となっており、天板上にパソコンのディスプレイ等を載置する場合は、図４に示すように、ガイド部材11と支持脚９を連結するボルトを外し、手前に置き換える。具体的には、中間取付孔19を第１孔群21に対応する位置へ移動させ、後方取付孔20を第３孔群23から第２孔群22の対応する位置へ移動させて（図６参照）、天板４が水平になるようにボルトでガイド部材11を支持脚９に取り付ける。次に、背板部材14と後方の支柱12を連結するボルトを外し、上記天板４と書棚１の棚板本体２が同一面状となる位置（棚板本体２の所定高さＨが０になる位置）に書棚１を下方に移動させ、再び背板部材14と後方の支柱12をボルトで連結する。このようにして、第２使用状態となる。さらに、床接触部材５の前半部６を前方へ移動させて固着具にて固着する。
【００２３】
また、図４に示す第２使用状態で使用する場合に、天板４の位置が高くて使用しにくい時は、天板４を下方へ置き換え使用し易い高さにし、棚板本体２が天板４と同一面状となるように、書棚１も下方へ移動させる（図８参照）。また、逆に天板４の位置が低くて使用しにくい時は、天板４を上方へ置き換え、棚板本体２が天板４と同一面状となるように、書棚１を上方へ移動させる（図示省略）。なお、本発明の実施の形態では、第２孔群22は２個の貫通孔からなっているが、第２使用状態でさらに上下に幅広く天板４の高さ調節可能とするために、上端側の連結部材13ａの幅を広く設定して第２孔群22の貫通孔を３個以上形成してもよい。
【００２４】
また、図３に示す第１の使用状態で使用する場合、天板４の高さを調節したい時は、天板４を上方又は下方に置き換える。この際、棚板本体２の所定高さＨを共に調節してもよい。
また、天板４は置き換えせずに、棚板本体２の所定高さＨのみを調節することも自由である。
【００２５】
以上のように、本発明である書棚付き机は、書棚１の棚板本体２が、机本体３の天板４よりも所定高さＨだけ上方の第１使用状態と、机本体３の天板４を手前へ置き換えて棚板本体２を下降させ天板４と同一面状とした第２使用状態とに、切換自在としたので、机本体３の天板４上の作業可能な面積を拡大させることができる。このことにより、パソコン用ディスプレイ等の大きなものでも天板４上に載置し作業できる。さらに、棚板本体２をそのまま作業可能な面積として利用でき、別部材を必要とはしないので、別部材の不使用時に保管する必要がなく紛失することもない。
【００２６】
また、書棚１が、前後位置を保ったままで昇降して第１使用状態と第２使用状態とに、切換して固着具にて机本体３にて固着されているので、机本体３の背面を壁近くに配置していても、第１使用状態と第２使用状態との切換え作業を、机本体３の位置を移動させずに容易に行うことができる。
【００２７】
また、机本体３の左右支持脚９，９の下端縁の水平状床接触部材５が前後に２分割され、前半部６が前方へ突出状に移動して固着具にて固着されているので、机本体３の天板４を手前へ置き換える第２使用状態としても、机本体３が前方へ転倒することがなく安定して設置できる。
【００２８】
また、第１使用状態と第２使用状態との切換え時に、引出し８が天板４と共に前後方向に置き換えるように付設されているので、第２使用状態でも引出し８が後方に奥まって存在することがなく、引出し８の使い勝手がよい。
【図面の簡単な説明】
【００２９】
【図１】本発明の第１の使用状態を示す斜視図である。
【図２】第１の使用状態を示す正面図である。
【図３】第１の使用状態を示す側面図である。
【図４】第２の使用状態を示す側面図である。
【図５】第１の使用状態を示す平面図である。
【図６】第２の使用状態を示す平面図である。
【図７】第１の使用状態を示す側面図である。
【図８】第２の使用状態を示す側面図である。
【符号の説明】
【００３０】
１  書棚
２  棚板本体
３  机本体
４  天板
５  床接触部材
６  前半部
８  引出し
９  支持脚
Ｈ  棚板本体の所定高さ
【図１】
2005342377.tif 000003
【図２】
2005342377.tif 000004
【図３】
2005342377.tif 000005
【図４】
2005342377.tif 000006
【図５】
2005342377.tif 000007
【図６】
2005342377.tif 000008
【図７】
2005342377.tif 000009
【図８】
2005342377.tif 000010